(57)【要約】【課題】外面を伝ってシロアリが侵入するのを防止することができる、流体管を提供する。【解決手段】流体管１は、外層２と内層３とを備える。外層２は、架橋ポリエチレンまたはポリブテン製であって、防蟻成分を含有する。内層３は、架橋ポリエチレンまたはポリブテン製であって、防蟻成分を含有しない。そこで、外層２と内層３との間に中間層４が設けられる。この中間層４は、外層２に含有される防蟻成分が内層３へ移行するのを防止する遮蔽材４ａからなる。【選択図】  図１
2015227708.tif 000002
【特許請求の範囲】
【請求項１】
外層と内層とを備える流体管であり、
前記外層は、架橋ポリエチレンまたはポリブテン製であって、防蟻成分を含有し、
前記内層は、架橋ポリエチレンまたはポリブテン製であって、防蟻成分を含有せず、
前記外層と前記内層との間に中間層が設けられ、その中間層は、前記外層に含有される防蟻成分が前記内層へ移行するのを防止する遮蔽材からなる、流体管。
【請求項２】
前記遮蔽材は、金属製である、請求項１に記載の流体管。
【請求項３】
前記遮蔽材は、前記流体管の可撓性を損なうことのない厚さに形成される、請求項２に記載の流体管。
【発明の詳細な説明】
【技術分野】
【０００１】
この発明は、シロアリの侵入を防止することができる流体管に関するものである。
【背景技術】
【０００２】
従来、配管に用いられる流体管として、架橋ポリエチレン、ポリブテン等の合成樹脂製の通水管が知られていた（例えば、特許文献１参照）。
【先行技術文献】
【特許文献】
【０００３】
【特許文献１】特開２００５−３４４８２０号公報
【発明の概要】
【発明が解決しようとする課題】
【０００４】
しかし、前記従来の通水管（流体管）のように、その材料が架橋ポリエチレンとかポリブテンの場合には、配管にあたって防蟻剤を用いると、その防蟻剤が管の内部に浸透する懸念があった。このため、配管にあたって防蟻剤を用いることができず、シロアリが管の外面を伝って屋内に侵入する虞があった。
【０００５】
この発明は、上記した従来の欠点を解決するためになされたものであり、その目的とするところは、外面を伝ってシロアリが侵入するのを防止することができる、流体管を提供することにある。
【課題を解決するための手段】
【０００６】
この発明に係る流体管は、前記目的を達成するために、次の構成からなる。すなわち、
請求項１に記載の発明に係る流体管は、外層と内層とを備える流体管である。ここで、前記外層は、架橋ポリエチレンまたはポリブテン製であって、防蟻成分を含有する。前記内層は、架橋ポリエチレンまたはポリブテン製であって、防蟻成分を含有しない。そこで、前記外層と前記内層との間に中間層が設けられ、その中間層は、前記外層に含有される防蟻成分が前記内層へ移行するのを防止する遮蔽材からなる。
【０００７】
この流体管によると、外層が防蟻成分を含有するため、シロアリが流体管の外面を伝って侵入することがない。そして、外層と内層との間に、遮蔽材からなる中間層が設けられるため、外層の防蟻成分が内層へ移行するのを防止することができ、その防蟻成分が、流体管内の流体に影響を及ぼすことがない。
【０００８】
また、請求項２に記載の発明に係る流体管は、請求項１に記載の流体管において、前記遮蔽材は、金属製である。
【０００９】
また、請求項３に記載の発明に係る流体管は、請求項２に記載の流体管において、前記遮蔽材は、前記流体管の可撓性を損なうことのない厚さに形成される。
【発明の効果】
【００１０】
この発明に係る流体管によれば、外層が防蟻成分を含有することで、流体管の外面を伝ってシロアリが侵入するのを防止することができ、また、外層と内層との間に、遮蔽材からなる中間層を設けることで、防蟻成分が内層に移行して流体に影響を及ぼすことを防ぐことができる。
【図面の簡単な説明】
【００１１】
【図１】この発明の一実施の形態の、流体管の断面図である。
【発明を実施するための形態】
【００１２】
以下、この発明に係る流体管を実施するための形態を図面に基づいて説明する。
【００１３】
図１は、本発明の一実施の形態を示す。図中符号１は、通水管等、その他の流体管を示す。
【００１４】
この流体管１は、外層２と内層３とを備える。ここで、外層２は、架橋ポリエチレンまたはポリブテン製であって、防蟻成分を含有する。内層３は、架橋ポリエチレンまたはポリブテン製であって、防蟻成分を含有しない。そこで、流体管１には、外層２と内層３との間に中間層４が設けられ、その中間層４は、外層２に含有される防蟻成分が内層３へ移行するのを防止する遮蔽材４ａからなっている。
【００１５】
具体的には、流体管１は、外面および内面が流体管１の長手方向に真っ直ぐ延びる平滑管からなる。そして、外層２に含有される防蟻成分としては、例えば、クロチアニジン等のネオニコチノイド系化合物、ピレスロイド系剤、有機リン剤、カーバメート剤、ホウ素化合物、フッ素化合物などが挙げられる。この防蟻成分は、通常、マイクロカプセルに封入され、ベースとなる架橋ポリエチレンとかポリブテンとともに混練されて成形される。
【００１６】
また、遮蔽材４ａは、金属製であって、例えば、アルミ（アルミニウムあるいはアルミニウム合金）からなる。そして、この遮蔽材４ａは、流体管１の可撓性を損なうことのない厚さに形成される。また、この遮蔽材４ａは、平滑に形成されるが、波付き形状となっていてもよく、この場合には、外層２の内側の面および内層３の外側の面は、遮蔽材４ａとかみ合うように波付の形状となる。
【００１７】
この流体管１によると、外層２が防蟻成分を含有するため、シロアリが流体管１の外面を伝って屋内とか建造物内等に侵入することがない。そして、外層２と内層３との間に、遮蔽材４ａからなる中間層４が設けられる。このため、外層２の防蟻成分が内層３へ移行するのを防止することができ、これによって、その防蟻成分が、流体管１内の流体に影響を及ぼすことがなく、また、外層２の防蟻成分の濃度の低下を防ぐことができる。
【００１８】
すなわち、この流体管１によれば、外層２が防蟻成分を含有することで、流体管１の外面を伝ってシロアリが屋内とか建造物内等に侵入するのを防止することができ、また、外層２と内層３との間に、遮蔽材４ａからなる中間層４を設けることで、防蟻成分が内層３に移行して流体に影響を及ぼすことを防ぐことができるとともに、外層２の防蟻成分の濃度の低下を防いで防蟻効果を持続させることができる。また、遮蔽材４ａが、内層３で覆われることで、その遮蔽材４ａの劣化を防ぐことができる。さらに、外層２に、防蟻成分の他に、殺虫剤、防腐剤、接着剤等の有機溶剤が含まれている場合においても、遮蔽材４ａがあることで、その有機溶剤が内層３へ移行するのを防ぐことができる。
【００１９】
また、防蟻成分は、マイクロカプセルに封入されている。このため、防蟻成分の散失を抑えることができ、さらには、防蟻成分の一部がマイクロカプセルとして外層２の表面（つまり、流体管１の外面）に露出することから、防蟻効果を確実かつ継続して作用させることができる。
【００２０】
また、この流体管１を継手に接続する際には、その接続は、内面止水により行われる。すなわち、この流体管１と継手とを備える流体管装置においては、継手は、流体管１が接続される接続部に、流体管１に挿入される筒部を有し、その筒部の外面と流体管１の内面（つまり、内層３の内面）との間で、止水（詳しくは、パッキンによる止水）が行われる。これにより、流体管１の継手への接続部分において、流体管１内を流れる流体が、流体管１の外層２に触れることがない。
【００２１】
なお、本発明は、上述した実施の形態に限定されるわけではなく、その他種々の変更が可能である。例えば、流体管１は、外層２と内層３と中間層４との三層から構成されているが、外層２と中間層４との間、あるいは内層３と中間層４との間に他の層が設けられてもよい。
【００２２】
また、遮蔽材４ａは、アルミ以外に、銅あるいは銅合金等、その他の金属からなっていてもよく、また、金属製でなくとも、防蟻成分が内層３へ移行するのを防止するものであれば、金属以外の材料からなっていてもよい。
【００２３】
また、流体管１は、可撓性を備えるが、可撓性を備えなくともよい。
【００２４】
また、流体管１は、水を通すための通水管からならなくとも、水以外の流体を通すための管であってもよい。
【符号の説明】
【００２５】
１  流体管
２  外層
３  内層
４  中間層
４ａ  遮蔽材
【図１】
2015227708.tif 000003